(57)【要約】      （修正有）【課題】ローラーの直径が制約されているにもかかわらず時間インジケーションを判読しやすいような、ローラーを用いるディスプレーを提供する。【解決手段】計時器用ディスプレー機構１００であって、メイン軸のまわりを回転しフラップ２０を有するローラー１０、１１、１２、１３、１４を有する。各フラップは、メイン軸と平行な第２の軸のまわりを回転し、２つの面を有する。このディスプレー機構は、メイン軸のまわりにローラー１０、１１、１２、１３、１４を回転させる第１の駆動手段と、及びメイン軸に対する第２の軸の所定の位置において、第２の軸のまわりにフラップ２０を回転させる第２の駆動手段とを有する。また、各フラップ２０において、制御手段と連係して、順次的に又は連続的に、同じローラー１０、１１、１２、１３、１４の連続するフラップ２０の位置を変え、又は要求に応じて、特定のフラップ２０の位置を変える駆動ピニオンを有する。【選択図】図１
2018004634.tif 000002
【特許請求の範囲】
【請求項１】
ローラー軸（Ｄ１０）のまわりを回転する少なくとも１つのローラー（１０、１１、１２、１３、１４）を有する計時器用ディスプレー機構（１００）であって、
前記ローラー（１０、１１、１２、１３、１４）は、前記ローラー軸（Ｄ１０）と平行であり前記ローラー軸（Ｄ１０）とは異なるフラップ軸（Ｄ２０）のまわりを回転する少なくとも１つのフラップ（２０）を有し、
前記少なくとも１つのフラップ（２０）には、少なくとも１つの第１の面（２０１）及び少なくとも１つの第２の面（２０２）があり、
当該ディスプレー機構（１００）は、前記ローラー軸（Ｄ１０）のまわりに前記ローラー（１０、１１、１２、１３、１４）を回転させる第１の駆動手段（３１）を有し、
当該ディスプレー機構（１００）は、前記第１の駆動手段（３１）とは異なる第２の駆動手段（３２）を有し、これによって、前記ローラー軸（Ｄ１０）に対する前記フラップ軸（Ｄ２０）の少なくとも１つの所定の位置において、少なくとも１つの前記フラップ（２０）をそのフラップ軸（Ｄ２０）のまわりに回転させ、
前記第２の駆動手段（３２）は、前記フラップ（２０）のそれぞれにおいて、前記フラップ軸（Ｄ２０）を中心とする少なくとも１つのフラップ駆動ピニオン（３５）を有し、
このフラップ駆動ピニオン（３５）は、当該ディスプレー機構（１００）が備える制御手段と連係するように構成しており、
これによって、順次的に又は連続的に、同じ前記ローラー（１０、１１、１２、１３、１４）の連続する前記フラップ（２０）の位置を変え、又は要求に応じて特定の前記フラップ（２０）の位置を変える
ことを特徴とするディスプレー機構（１００）。
【請求項２】
前記ローラー（１０、１１、１２、１３、１４）に応じた前記フラップ（２０）の継続的な回転は、ユーザーに見えるディスプレー位置において、前記フラップ（２０）のインジケーションが前記ローラー（１０、１１、１２、１３、１４）の１回転当たり１８０°回転するように行われる
ことを特徴とする請求項１に記載のディスプレー機構（１００）。
【請求項３】
前記第２の駆動手段（３２）は、前記ローラー（１０、１１、１２、１３、１４）が備える他のフラップ（２０）とは独立に、前記フラップ（２０）を一度に１つのみ回転するように構成している
ことを特徴とする請求項１に記載のディスプレー機構（１００）。
【請求項４】
前記第２の駆動手段（３２）は、前記ローラー（１０、１１、１２、１３、１４）が備える前記フラップ（２０）をそれぞれ同期させて回転するように構成している
ことを特徴とする請求項１に記載のディスプレー機構（１００）。
【請求項５】
前記第２の駆動手段（３２）は、前記ローラー軸（Ｄ１０）に対する前記フラップ軸（Ｄ２０）の単一の特定の位置において、単一の前記フラップ（２０）を回転するように構成している
ことを特徴とする請求項３に記載のディスプレー機構（１００）。
【請求項６】
前記フラップ（２０）をそれぞれオリエンテーション位置に保持するために、前記フラップ（２０）はそれぞれ、前記フラップ（２０）の面（２０１、２０２）の数と同じ数の凹んだ点（２６）があるフラップカム（２５）又は心臓状部品を有し、
前記ローラー（１０、１１、１２、１３、１４）は、少なくとも１つのばね（１５）を有し、
このばね（１５）は、前記フラップカム（２５）又は心臓状部品の位置のインデクシングをするために前記フラップカム（２５）又は心臓状部品のそれぞれの近傍に配置されたジャンパー（１７）に力を与えるか、あるいは前記ジャンパー（１７）を形成している
ことを特徴とする請求項１に記載のディスプレー機構（１００）。
【請求項７】
前記フラップ（２０）をそれぞれオリエンテーション位置に保持するために、前記フラップ（２０）はそれぞれ、前記フラップ（２０）の面（２０１、２０２）の数と同じ数の凹んだ点（２６）を有するフラップカム（２５）又は心臓状部品を有し、
前記ローラー（１０、１１、１２、１３、１４）は、前記フラップカム（２５）又は心臓状部品に対して、少なくとも１つの磁石（７０）を有し、
この磁石（７０）は、磁性材料によって作られた前記フラップカム（２５）又は心臓状部品の上に力を与えて、前記フラップカム（２５）又は心臓状部品の位置のインデクシングを行うように構成している
ことを特徴とする請求項１に記載のディスプレー機構（１００）。
【請求項８】
前記第１の駆動手段（３１）は、歯のいくらかが欠けている制御車（３１２０、３１３０）を有し、
この制御車（３１２０、３１３０）は、直接又は１対の減速ギヤ（３１３１）を介して、ローラー駆動ピニオン（３１２、３１３）と噛み合って、所望の減速を行っている
ことを特徴とする請求項１に記載のディスプレー機構（１００）。
【請求項９】
少なくとも１つの前記ローラー（１０、１１、１２、１３、１４）は、前記面（２０１、２０２）を複数有する前記フラップ（２０）を介して、少なくとも１つの固定ディスプレー位置及び少なくとも１つの動性ディスプレー位置を有する
ことを特徴とする請求項１に記載のディスプレー機構（１００）。
【請求項１０】
前記第１の駆動手段（３１）は、メイン車（６０）を駆動する入力列（６１）を有し、
このメイン車（６０）の１回転は、前記ローラー（１０、１１、１２、１３、１４）のディスプレー期間に対応しており、
このメイン車（６０）は、前記固定ディスプレー位置に対応する同心の区画（５１）と、及び前記ディスプレーローラー（１０、１１、１２、１３、１４）の動性位置に対応する駆動ピン（５Ｘ）を備える凹んだ区画（５２）との幾何学的構成が等しくない周部区画を担持しているメインカム（５０）を担持しており、
前記メインカム（５０）は、固定点のまわりを回転する偏心性のマルタクロス式の第２のカム（４０）と連係しており、
この第２のカム（４０）は、前記凹部（５２）と前記ピン（５Ｘ）の通過の際に回転するように構成しており、
前記第２のカム（４０）は、ローラー駆動車（６２）と噛み合う第２の車（４２）を担持しており、
前記メイン車（６０）は、さらに、メインフラップ駆動車（６３）を担持しており、
このメインフラップ駆動車（６３）は、前記フラップ軸（Ｄ２０）を中心とするフラップ駆動ピニオン（３５）を制御するように構成しているフラップピニオン（６４）と噛み合っており、あるいは実際に前記フラップ駆動ピニオン（３５）を形成している
ことを特徴とする請求項９に記載のディスプレー機構（１００）。
【請求項１１】
前記第１の駆動手段（３１）は、メイン車（６０）を駆動する入力列（６１）を有し、
このメイン車（６０）の１回転は、前記ローラー（１０、１１、１２、１３、１４）のディスプレー期間に対応しており、
このメイン車（６０）は、前記固定ディスプレー位置に対応する同心の区画（５１）と、及び凹部（５２）近くに駆動手段（５３）を有する区画との幾何学的構成が等しくない周部区画を担持しているメインカム（５０）を担持しており、
前記メインカム（５０）は、固定点のまわりを回転する偏心性の星車（７１）と連係しており、
この星車（７１）は、前記駆動手段（５３）の通過の際に回転し、この星車（７１）の２つの歯（７２）が前記同心の区画（５１）上にて休んでいるときに角度位置を変えないように構成しており、
前記第２のカム（４０）は、ローラー駆動車（６２）と噛み合う第２の車（４２）を担持しており、
この星車（７１）は、ローラー駆動車（６２）と噛み合う第２の車（７０）を担持しており、
このローラー駆動車（６２）は、前記ローラー（１０、１１、１２、１３、１４）と一体化されており、
前記メイン車（６０）は、さらに、メインフラップ駆動車（６３）を担持しており、
このメインフラップ駆動車（６３）は、前記フラップ軸（Ｄ２０）を中心とするフラップ駆動ピニオン（３５）を制御するように構成しているフラップピニオンと噛み合っており、あるいは実際に前記フラップ駆動ピニオン（３５）を形成している
ことを特徴とする請求項９に記載のディスプレー機構（１００）。
【請求項１２】
当該ディスプレー機構（１００）は、月ローラーのアーバー（４０２）から延びている少なくとも１つの針（４０１）を用いる閏年ディスプレー（４００）を有し、
この針（４０１）は、相補的な閏年ディスプレー（４０３）に対向しており、
この閏年ディスプレー（４００）においては、ジャンパー（４０５）によって保持された星車（４０４）が、前記針（４０１）を駆動し、
前記歯付き区画（４０８）を介して回転するように構成しているフラップ（４０７）と一体化されている偏心レバー（４０６）によって駆動される
ことを特徴とする請求項１に記載のディスプレー機構（１００）。
【請求項１３】
当該ディスプレー機構（１００）は、ジャンパーのないフラップ（４０７）を有し、
このフラップ（４０７）は、部分的な歯列によって駆動され、前記駆動ピニオン（４０９）の２つの歯（４１０、４１１）によって所定の位置にガイドされる実際のフラップ（４０７）に接する外周（４２０）によってガイドされ、
前記駆動ピニオン（４０９）は、凹部（４１２）にて１つ又は複数の歯が欠けており、
前記外周（４２０）は、前記フラップ（４０７）の回転を可能にする１つの部分（４２１）にて途切れており、
前記フラップ（４０７）の回転は、この回転のために設けられた歯列区画（４０８）によって駆動され、
この歯列区画（４０８）は、前記外周（４２０）の一部を形成しており、あるいは形成していない
ことを特徴とする請求項１に記載のディスプレー機構（１００）。
【請求項１４】
請求項１に記載のディスプレー機構（１００）を少なくとも１つ有する
ことを特徴とする腕時計（１０００）。
【発明の詳細な説明】
【技術分野】
【０００１】
本発明は、ローラー軸のまわりを回転する少なくとも１つのローラーを有する計時器用ディスプレー機構に関し、前記ローラーは、前記ローラー軸と平行であり前記ローラー軸とは異なるフラップ軸のまわりを回転する少なくとも１つのフラップを有し、前記少なくとも１つのフラップには、少なくとも１つの第１の面及び少なくとも１つの第２の面があり、当該ディスプレー機構は、前記ローラー軸のまわりに前記ローラーを回転させる第１の駆動手段を有し、当該ディスプレー機構は、前記第１の駆動手段とは異なる第２の駆動手段を有し、これによって、前記ローラー軸に対する前記フラップ軸の少なくとも１つの所定の位置において、少なくとも１つの前記フラップをそのフラップ軸のまわりに回転させる。
【０００２】
本発明は、さらに、少なくとも１つの前記ディスプレー機構を有する腕時計に関する。
【０００３】
本発明は、計時器用ディスプレー機構の分野に関し、特に、腕時計用のディスプレー機構の分野に関し、より詳細には、カレンダーディスプレー機構の分野に関する。
【背景技術】
【０００４】
時計においてディスプレーを読みやすくすることは、特に、ユーザーが見て判読することが容易な形態で作ることが難しいカレンダータイプのディスプレーにおいて、大きな関心事となっている。
【０００５】
計時器のディスプレーにおいて、ローラーが用いられることはあまりない。なぜなら、ローラーの直径が大きいため、ローラー形態のインジケーションは厚みを厚くしてしまうからである。このようなローラーは、例えば、月の日のために３１までのインジケーション、又は年の週のために５２のインジケーションを行い、腕時計固有の形状には適合しない。
【０００６】
また、非常に小さい大きさの文字を使用すると、腕時計の風防の厚みにおいて拡大レンズを用いることが必要になる。このことによって腕時計の美的外観を大きく害してしまうが、判読が難しいままである。
【０００７】
小型の置時計などのためにフラップやブレードを用いる静的なディスプレーを腕時計に転換することは難しい。なぜなら、それらは一般的に重力に依存するからである。また、それらは脆弱であり、衝撃に耐えることができない。
【０００８】
ARAI KIYOYUKIによる米国特許ＵＳ３９６４４２８は、接線方向の向きに保持されたフラップガイド手段を備え、回転ドラムの周部において２つの面を有する回転フラップを備えたインジケータについて記載している。ドラムの回転時に、フラップをその軸を中心にひっくり返すことができる機構がある。
【発明の概要】
【発明が解決しようとする課題】
【０００９】
本発明は、ローラーの直径が制約されているにもかかわらず時間インジケーションを判読しやすいような、ローラーを用いるディスプレーを開発することを目的とする。
【課題を解決する手段】
【００１０】
このために、本発明は、請求項１に記載の計時器用ディスプレー機構に関する。
【００１１】
本発明は、さらに、少なくとも１つの前記ディスプレー機構を有する腕時計に関する。
【００１２】
図面を参照しながら下記の詳細な説明を読むことで、本発明の他の特徴及び利点を理解することができるであろう。
【図面の簡単な説明】
【００１３】
【図１】カレンダータイプの本発明に係るローラーディスプレー機構を有する腕時計の概略正面図を示している。
【図２】図１と同様な形態で、本発明に係るフラップを有する十の位ローラー及び一の位ローラー上の日付ディスプレーを示している。
【図３】図１と同様な形態で、図２の十の位ローラーを駆動するギヤ列を示している。
【図４】図１と同様な形態で、図２の一の位ローラーを駆動するギヤ列を示している。
【図５】図２の一の位ローラーのローラーの回転軸に垂直な平面における概略的に端面図を示しており、このローラーのフラップのうちの１つのフラップの回転運動の様子を点線で示している。
【図６】図１と同様な形態で、図５の一の位ローラーの詳細を示している。
【図７】図５と同様な形態で、図２の一の位ローラーの変種を示しており、フラップを駆動し保持する手段を示しており、ローラーフラップのうちの１つが回転運動する様子を点線で示している。
【図８】図１と同様な形態で、図７の一の位ローラーの詳細を示している。
【図９】図７の一の位ローラーの概略斜視図を示している。
【図１０】ローラーの回転軸に垂直な平面における中間位置にある図７の一の位ローラーの概略断面図を示している。
【図１１】ローラーの回転軸に垂直な平面における中間位置にある図７の一の位ローラーの概略端面図を図９においても示しているばねの表現とともに示している。このばねは、フラップカムの近傍に配置されているジャンパーに力を与えるように構成しており、これによって、これらのカム及び対応するフラップの位置のインデクシングをする。
【図１２】図９〜１１と同様な形態で、本発明に係る月ローラーを示している斜視図である。
【図１３】図９〜１１と同様な形態で、本発明に係る月ローラーを示している断面図である。
【図１４】図９〜１１と同様な形態で、本発明に係る月ローラーを示している端面図である。
【図１５】図３及び４と同様な形態で、５つのフラップを備えた一の位ローラーの回転を示している。
【図１６】図１５と同様な形態で、曜日に対応する７つのインジケーションを備えた特定のローラーの回転制御を示している。
【図１７】図７と同様な形態で、フラップを駆動し磁気的に保持する手段を示している図２の一の位ローラーの別の変種を示しており、ローラーフラップのうちの１つの回転運動の様子を点線で示している。
【図１８】図８と同様な形態で、図１７の一の位ローラーの詳細を示している。
【図１９】上記のマルタクロス式システムではなく部分的な歯列を有する別の変種を示している。
【図２０】上記のマルタクロス式システムではなく部分的な歯列を有する別の変種を示している。
【図２１】図５と同様な形態で、フラップカムの位置のインデクシングが、ジャンパーとしてもはたらく単一のばねによって行われるような変種を示している。
【図２２】図２２〜２６は、閏年のディスプレーのための変種を概略的に示している。図２２は、月ローラー軸から延びている１２０°ごとの３つ組の針を示している斜視図である。
【図２３】３つ組の針を駆動するジャンパーによって保持される星車を示している前記月ローラー軸に垂直な面の断面図である。
【図２４】図２３と同様な形態だがジャンパーを示さずに、フラップと一体化されている偏心レバーを介する、星車の駆動のための星車の連係を示している。
【図２５】図２３と同様な形態だがジャンパーを示さずに、フラップと一体化されている偏心レバーを介する、星車の駆動のための星車の連係を示している。
【図２６】３つ組の針の側から見た端面図である。
【図２７】図７と同様な形態で、ジャンパーを用いずにフラップを保持する別の変種を示している。これは、部分的な歯列によって駆動され、実際のフラップに接する外周によってガイドされる。
【発明を実施するための形態】
【００１４】
図において、本発明を、曜日、日（十の位ローラー及び一の位ローラー）及び月のためのローラーを備えるものに基づいて示している。なお、これに制限されない。
【００１５】
図１は、例として、ローラーを有する腕時計を示しており、直径５．００ｍｍのローラー上の文字の縦の長さは、２．２０ｍｍよりも大きい。なお、これに制限されない。
【００１６】
このように、本発明は、少なくとも１つのローラー１０を有する計時器用ディスプレー機構１００に関する。これらのローラー１０には、図面において異なる参照符号１１、１２、１３、１４が割り当てられており、ローラー軸Ｄ１０のまわりを回転する。このローラー１０、１１、１２、１３、１４は、少なくとも１つのフラップ２０を有し、これは、ローラー軸Ｄ１０と平行であるがローラー軸Ｄ１０とは異なるフラップ軸Ｄ２０のまわりを回転するようにマウントされる。この少なくとも１つのフラップ２０は、少なくとも１つの第１の面２０１及び少なくとも１つの第２の面２０２を有しており、所与の時間においてユーザーがこれらの面２０１、２０２のうちの１つの面のみを見ることができるように構成している。
【００１７】
ディスプレー機構１００は、ローラー軸Ｄ１０のまわりにローラー１０、１１、１２、１３、１４を回転させる第１の駆動手段３１を有する。
【００１８】
このディスプレー機構１００は、第１の駆動手段３１とは異なる第２の駆動手段３２を有し、この第２の駆動手段３２は、ローラー軸Ｄ１０に対するフラップ軸Ｄ２０の少なくとも１つの所定の位置において、少なくとも１つの前記フラップ２０をそのフラップ軸Ｄ２０のまわりに回転させる。
【００１９】
具体的には、ディスプレー機構１００において、フラップ２０の継続的な回転が、ユーザーに見えるディスプレー位置においてフラップ２０のインジケーションがローラー１０、１１、１２、１３、１４の１回転当たり１８０°回転するように、ローラー１０、１１、１２、１３、１４の関数として定められる。
【００２０】
具体的には、第２の駆動手段３２は、ローラー１０、１１、１２、１３、１４が備える他のフラップ２０とは独立に、一度に１つのフラップ２０のみが回転するように構成している。
【００２１】
別の変種では、第２の駆動手段３２は、ローラー１０、１１、１２、１３、１４が備える各フラップ２０を同期させて回転するように構成している。これによって、ディスプレー機構に必要なエネルギーを節約することができる。
【００２２】
小さい空間しか用いないために有利であるような好ましい変種において、第２の駆動手段３２は、一度に１つのフラップ２０のみを回転させるように構成しており、具体的には、第２の駆動手段３２は、ローラー軸Ｄ１０に対するフラップ軸Ｄ２０の位置のうちの特定の１つの位置のみにおいて単一のフラップ２０を回転させるように構成している。
【００２３】
本発明によると、第２の駆動手段３２は、各フラップ２０において、フラップ軸Ｄ２０を中心とする少なくとも１つのフラップ駆動ピニオン３５を有する。具体的には、このフラップ駆動ピニオン３５は、ディスプレー機構１００が備える制御手段と連係して、順次的に又は継続的に、同じローラー１０、１１、１２、１３、１４の連続するフラップ２０の位置を変えたり、要求に応じて特定のフラップ２０の位置を変えたりするように構成している。したがって、要求に応じて特定のフラップの位置を変えることができる。
【００２４】
特に、第２の駆動手段３２のモーター駆動、又は腕時計ステム、押し部品又は引き部品を介しての制御によって、腕時計が長い期間止まっていたときにカレンダーを更新することが促進される。
【００２５】
具体的には、各フラップ２０をオリエンテーション位置に保持するために、各フラップ２０は、フラップカム２５を有する。フラップカム２５は、特に、心臓状の部品であり、フラップ２０にある面２０１、２０２の数と同じ数の凹んだ点２６を有する。ローラー１０、１１、１２、１３、１４は、好ましくは、少なくとも１つのばね１５を有し、これは、図９及び１１に示すように、前記フラップカム２５の位置のインデクシングのために、各フラップカムの近くに配置されたジャンパー１７に力を与えるように構成している。
【００２６】
特定の変種において、図２１に示すように、このジャンパーとばねによって形成される対を特別な形状の少なくとも１つのばね１５、特に、図示したような単一のばね、によって置き換えることができ、このばねは、ばねとジャンパーの２つの機能を組み合わせるものであり、図９及び１１の変種のジャンパー１７のすべてを置き換えるものである。
【００２７】
具体的には、図１７に示すように、同様な機能を有する変種において、各フラップ２０をオリエンテーション位置に保持するために、各フラップ２０は、フラップ２０にある面２０１、２０２の数と同じ数の凹んだ点２６を有するフラップカム２５又は心臓状部品を有し、ローラー１０、１１、１２、１３、１４は、各フラップカム２５又は心臓状部品に対して、そのフラップカム２５又は心臓状部品に力を与えるように構成している磁性材料によって作られた少なくとも１つの磁石７０を有しており、これによって、フラップカム２５又は心臓状部品の位置のインデクシングをする。
【００２８】
具体的には、図３及び４に示すように、第１の駆動手段３１は、歯のいくらかが欠けている制御車３１２０及び３１３０を有しており、これらは、直接又は減速ギヤ３１３１を介してローラー駆動ピニオン３１２、３１３と噛み合って、所望の減速を達成する。このことによって、特に、日付をディスプレーすることができる。
【００２９】
具体的には、図１６に示すように、少なくとも１つのローラー１０、１１、１２、１３、１４は、複数の面２０１、２０２を有するフラップ２０を介して、少なくとも１つの固定ディスプレー位置と、及び少なくとも１つの動性ディスプレー位置とを有する。これによって、体積を少ししか占めずに、あらゆる種類のインジケーションを行うローラーディスプレーをすることができる。
【００３０】
具体的には、第１の駆動手段３１は、メイン車６０を駆動する入力列６１を有し、このメイン車６０の１回転は、ローラー１０、１１、１２、１３、１４のディスプレー期間に対応しており、このメイン車６０は、凹部５２によって分離される周部区画５１を担持しているメインカム５０を担持しており、周部区画５１の幅は等しくなく、最も狭い周部区画５１の幅は、固定ディスプレー位置に対応しており、最も広い周部区画５１の幅は、動性ディスプレー位置に対応している。メインカム５０は、凹部５２が通過したときに回転するように構成している偏心性のマルタクロス式の第２のカム４０と連係している。この第２のカム４０は、ローラー駆動車６２と噛み合う第２の車４２を担持している。メイン車６０は、さらに、メインフラップ駆動車６３を担持しており、このメインフラップ駆動車６３は、フラップピニオン６４と噛み合う。このフラップピニオン６４は、フラップ軸Ｄ２０を中心としているフラップ駆動ピニオン３５を制御するように構成していたり、あるいは実際に前記のようなフラップ駆動ピニオン３５を形成していたりする。
【００３１】
本発明は、さらに、少なくとも１つの前記ディスプレー機構１００を有する腕時計１０００に関する。
【００３２】
図面に、本発明の特定の実施形態を示している。
【００３３】
図２は、ローラー上の日付ディスプレーを示している。直径５ｍｍほどのローラーの周に３１日をディスプレーすることができないので、２つのローラーにわたって一の位と十の位が分布している。すなわち、十の位ローラー１２に４つの数、一の位ローラー１３に１０個の数が分布している。
【００３４】
２つのローラーは、２つの制御車３１２０及び３１３０によって駆動され、各制御車には３１の歯の位置があるが、対応するローラーの回転が不必要な日に対応する箇所では歯が欠けている。
【００３５】
図３は、以下のような十の位ローラー１２のための駆動列を示している。すなわち、第１の駆動手段３１は、第１の制御車３１２０を有しており、この第１の制御車３１２０には、３１の理論的な歯のうち４つの歯しかなく、十の位ローラー１２を駆動する四歯星車３１２の４つの歯を駆動する。四歯星車３１２の位置を維持して駆動機能を完成させるために、ジャンパー（図示せず）が必要である。
【００３６】
図４は、以下のような一の位ローラー１３のための駆動列を示している。第１の駆動手段３１は、第２の制御車３１３０を有しており、これには、行うディスプレーのタイプに応じて３１の仮想的な歯のうちいくつかの歯のみがあり、一の位ローラー１３を駆動する一の位ピニオン３１３の１０の歯を駆動する。したがって、第２の制御車３１３０には、３０の歯、又はこの場合のように２９の歯を有することができ、２つの歯が欠けていることで、３１から０１へと変わるときに一の位が回転しないようにすることができる。１０歯の一の位ピニオン３１３の位置を維持してディスプレー位置を維持するために、ジャンパー（図示せず）が必要とされる。
【００３７】
この駆動原理は、大きな開口の日付ディスプレーの周知な原理と同様である。
【００３８】
図５及び６は、一の位ローラー１３上の一の位のディスプレーを示している。１０個の一の位の数を直径５ｍｍのローラーの周に分布させたのでは、文字の寸法を十分に大きくすることができない。したがって、本発明に係る一の位ローラー１３は、いくつかのフラップ２０Ａ、２０Ｂ、２０Ｃ、２０Ｄ、２０Ｅを有しており、その各フラップは、その少なくとも２つの異なる面２０１、２０２に、少なくとも２つの一の位の数を担持している。このようにして、この例において、２つの面が１０個の一の位の数を支える５つのフラップ２０に、一の位ローラー１３が分割されている。これらのフラップ２０は、それらの２つの面２０１及び２０２のいずれかをユーザーに見せ、一の位の文字の縦の長さを２倍にすることができる。
【００３９】
図７〜１１は、キャリヤローラ１０の回転時及び自転時におけるフラップ２０の回転及び保持について示している。
【００４０】
フラップ２０を、ローラー１０の回転に対して２分の１の比で連続的に回転駆動することができる。この手法は、単純であるが、ローラー１０の全周にわたる空間を必要とし、また、これは必ずしも可能だとは限らない。
【００４１】
システムが占める空間を抑えるために、ローラー１０の周上の１点のみにおいてフラップ２０の回転を制御するような下記の手法を利用することが有利である。このようにして、フラップ２０はそれぞれ、フラップカム２５に連係するジャンパー１７によって所定の位置に保持される。このフラップカム２５は、特に、心臓状部品タイプのものであり、２つの位置を有しており、当該フラップの軸にマウントされており、凹んだ点２６がジャンパー１７の突起部と連係している。ばね１５、特に、図７のような複数のアームを備えたばねは、フラップ２０の位置を維持するジャンパー１７に力を与える。また、ピニオン３５もフラップ２０の軸にマウントされる。
【００４２】
このピニオンは、第２の駆動手段３２（図示せず）が備えるギヤ列によって駆動されることができる。図７の特定の変種では、第２の駆動手段３２は、ローラー１０の周部の１点に位置する歯列の固定区画を有する。ローラー１０の回転時に、フラップピニオン３５が、この区画と接触し、この区画と連係する。このことによって、当該フラップ２０が１８０°回転する。
【００４３】
図１２〜１４は、同様な形態で、６つのフラップ２０を有する月ローラーの回転を示している。当然、周に１２個のインジケーションを配置するために、面が３つの４つのフラップ、又は面が４つの３つのフラップを用いることもできる。
【００４４】
図１５は、一の位ローラーの回転を５つのフラップで示している。上で説明したように、一の位ローラーの回転は、１０歯のピニオンを通過させるために１つ又は２つの歯が欠けている３１歯の車によって達成することができる。５つのフラップを備えたローラーの場合に１日当たり１／５回転させるために、１０歯のピニオンを５つの歯に減らすべきであるが、幾何学的に、この減速は機能に支障がなく行わせることはできない。したがって、所望の減速に対応する１対の減速ギヤ３１３２、３１３３を備えるギヤ減速機構を加えることが必要である。この例において、以下のギヤ列の異なる車は、以下を行う。
−  ３１歯の車３１３０：  月当たり１回転
−  １０歯の車３１３２：  １０日当たり１回転
−  ２０歯の車３１３３：  １０日当たり１回転
−  １０歯の車３１３：    ５日当たり１回転
【００４５】
マルタクロス式機構を備えた特定の実施形態において、第１の駆動手段３１は、メイン車６０を駆動する入力列６１を有し、このメイン車６０の１回転は、ローラー１０、１１、１２、１３、１４のディスプレー期間に対応しており、このメイン車６０は、幾何学的構成が等しくない周部区画を担持しているメインカム５０を担持しており、同心の区画５１は、固定ディスプレー位置に対応しており、駆動ピン５Ｘを備える凹んだ区画５２は、ディスプレーローラー１０、１１、１２、１３、１４の動性位置に対応している。このメインカム５０は、偏心性のマルタクロス式の第２のカム４０と連係しており、このカム４０は、固定点のまわりを回転し、凹部５２及びピン５Ｘが通過する際に回転するように構成している。この第２のカム４０は、ローラー駆動車６２と噛み合う第２の車４２を担持しており、メイン車６０は、さらに、メインフラップ駆動車６３を担持しており、このメインフラップ駆動車６３は、フラップピニオン６４と噛み合い、このフラップピニオン６４は、フラップ軸Ｄ２０を中心とするフラップ駆動ピニオン３５を制御するように構成しており、あるいは実際にフラップ駆動ピニオン３５を形成している。
【００４６】
具体的には、図１６は、このマルタクロス式実施形態の特定の変種を示しており、これは、週の曜日に対応する７つのインジケーションを備えたローラーの回転を制御する。曜日の場合には、曜日の数が素数であるため、上と同じようにフラップに曜日を分布させることはできない。ローラーが周に７つの曜日をディスプレーすることができなければ、解決策は以下に限られる。すなわち、
−  固定位置が６つのローラー及び面が２つの１つのフラップ
−  固定位置が５つのローラー及び面が２つの２つのフラップ
−  固定位置が４つのローラー及び面が２つの３つのフラップ
−  固定位置が１つのローラー及び面が３つの２つのフラップ
である。
【００４７】
図１６は、固定位置が６つのローラー及び面が２つの１つのフラップの第１の変種を示している。他の変種への適応も同様な形態で達成することができる。第１の駆動手段３１は、メイン車６０を駆動する入力列６１を有し、メイン車６０の１回転は、ローラー１０のディスプレー期間に対応しており、曜日のディスプレーへの応用において、このメイン車６０は、１日当たり１／７回転駆動される。
【００４８】
一般的には、Ｎ個の期間をディスプレーする場合、メイン車６０は、１日当たり１／Ｎ回転駆動される。
【００４９】
メイン車６０は、Ｎ個の異なる周部区画に分割されているメインカム５０を担持している。これらの周部区画の幾何学的構成は、以下のように等しくない。同心の区画５１は、固定ディスプレー位置に対応しており、駆動ピン５Ｘを備える凹んだ区画５２は、ディスプレーローラーの動性位置に対応している。また、下で説明するように、同心の区画５１の角度的な幅は変わっていることができる。
【００５０】
このメインカム５０は、前記ピン及びノッチを介してマルタクロス式の第２のカム４０と連係している。この第２のカム４０は、偏心しており、固定点のまわりを回転し、凹部５２とピン５Ｘが通過する際に回転するように構成している。
【００５１】
この第２のカム４０は、当該ディスプレーローラー１０と一体化されているローラー駆動車６２と噛み合う第２の車４２を担持している。
【００５２】
このようにして、マルタクロス式の第２のカム４０は、ローラーの６つの固定位置に対応する７つの曜日のうちの６つの曜日に１／６回転するようにローラー駆動車６２を駆動する。
【００５３】
７つ目の曜日に、マルタクロス式の第２のカム４０の肩部４１は、同心の区画５１のうちの最も広い区画５１０上で休み続ける。したがって、マルタクロス式の第２のカム４０は、回転することができない。ローラー駆動車６２は、駆動されず、したがって、ローラーは不動のままである。
【００５４】
メイン車６０は、さらに、メインフラップ駆動車６３を担持しており、このメインフラップ駆動車６３は、フラップピニオン６４と噛み合い、このフラップピニオン６４は、フラップ軸Ｄ２０を中心とするフラップ駆動ピニオン３５を制御するように構成しており、あるいは実際にフラップ駆動ピニオン３５を形成している。
【００５５】
このメインフラップ駆動車６３は、メイン車６０のように、１日当たり１／７回転する。
【００５６】
フラップピニオン６４は、面が２つのフラップ２０を担持しており、メインフラップ駆動車６３と３．５の比で噛み合っている。
【００５７】
したがって、ローラー駆動車６２が不動であり、メイン車６０が１／７回転する場合、フラップピニオン６４は１／２回転して、フラップ２０が面を変える。
【００５８】
ローラー駆動車６２が解放され１／６回転し、メイン車６０が１／７回転する場合、フラップピニオン６４は１／１２回転する。したがって、フラップピニオン６４は、６日で始点に戻る。
【００５９】
図１７及び１８は、本発明の好ましい変種を示しており、これにおいては、フラップが所定の位置に保持されることを確実にするジャンパー及びばねが、磁性材料によって作られたカムに対して、力、特に、引力、を与える磁石７０と置き換えられている。
【００６０】
上記のマルタクロス式システムの代わりに部分的な歯列を備えた別の特定の実施形態において、第１の駆動手段３１は、メイン車６０を駆動する入力列６１を有し、このメイン車６０の１回転は、ローラー１０、１１、１２、１３、１４のディスプレー期間に対応しており、このメイン車６０は、以下のように幾何学的構成が等しくないいくつかの周部区画を担持しているメインカム５０を担持している。すなわち、同心の区画５１は、固定ディスプレー位置に対応しており、区画は、凹部５２の近くに駆動手段５３を有する。メインカム５０は、偏心星車７１と連係しており、この偏心星車７１は、固定点のまわりを回転し、前記駆動手段５３が通過する際に回転して、偏心星車７１が備える２つの歯７２が同心の区画５１上で休んでいるときにその角度位置を維持するように構成している。この星車７１は、ローラー１０、１１、１２、１３、１４と一体化されているローラー駆動車６２と噛み合う第２の車７０を担持している。前記のように、メイン車６０は、メインフラップ駆動車６３を担持しており、このメインフラップ駆動車６３は、フラップピニオンと噛み合っており、このフラップピニオンは、フラップ軸Ｄ２０を中心とするフラップ駆動ピニオン３５を制御するように構成しているか、あるいは実際にフラップ駆動ピニオン３５を形成している。
【００６１】
具体的には、図１９及び２０は、部分的な歯列があるこの実施形態の変種を示している。この変種を、マルタクロスがなく面が２つの２つの動性フラップ２０Ｂ及び２０Ｅを有する固定位置が５つあるバージョンの特定の場合（これに限定されない）に基づいて示している。
【００６２】
入力列６１（図示せず）の駆動ピニオンは、１日当たり１回転し、メイン車６０を駆動する。このメイン車６０は、１日当たり１／Ｎ回転する。ここでは、１日当たり１／７回転する。
【００６３】
メイン車６０は、メインカム５０を担持しており、これは、７つの異なる周部区画に分割されており、この周部区画は、駆動手段（ここでは歯５３によって構成している）を有していることもできるし有していないこともできる。同心の区画５１は、ローラー２０の固定ディスプレー位置に対応しており、駆動手段５３を有する区画は、ディスプレーローラーの動性位置に対応している。
【００６４】
このメインカム５０は、ジャンパー（図示せず）によって保持される四歯星車７１と連係している。この四歯星車７１は、偏心しており、固定点のまわりに回転し、駆動手段、特に、図示した実施形態（これに限定されない）における歯、を通過する際に回転するように構成している。
【００６５】
ここで歯を有する駆動手段５３は、好ましくは、凹部５２と組み合わさっており、四歯星車７１の歯７２と噛み合うように構成している。しかし、四歯星車７１の２つの連続する歯７２が同心の区画５１上で同時に休んでいるときには、四歯星車７１は回転することができない。
【００６６】
したがって、プレート上で回転する四歯星車７１は、週当たり２日を除いて、１日当たり１／４回転するように構成している。図示した例において、この星車７１が月曜から火曜へと回転すると、この星車７１は、水曜から木曜へと位置を変える前には、火曜と水曜の位置に留まる。同様に、星車７１が金曜から土曜へと回転したときに、星車７１は、日曜から月曜へと位置を変える前に土曜と日曜の位置に留まる。フラップ２０Ｂは、火曜に第１の位置をディスプレーし、火曜から水曜へと１８０°回転し、水曜に第２の位置をディスプレーする。同様に、フラップ２０Ｅは、土曜に第１の位置をディスプレーし、土曜から日曜へと１８０°回転し、日曜に第２の位置をディスプレーする。他の日に、ユーザーは、以下のようにローラー２０の周部における固定ディスプレーを見る。すなわち、月曜に２０Ａ、木曜に２０Ｃ、金曜に２０Ｄを見る。
【００６７】
この四歯星車７１は、第２の車７０を担持しており、この第２の車７０は、ローラー駆動車６２と噛み合う。このローラー駆動車６２自身がディスプレーローラー１０と一体化されている。
【００６８】
四歯星車７１は、結果的に、ローラーの５つの固定位置に対応する７つの曜日のうちの５つの曜日にて、ローラー駆動車６２を１／５回転駆動する。
【００６９】
２つの付加的な曜日においては、四歯星車７１は、同心の区画５１上にて休み続け、したがって、回転することができない。ローラー駆動車６２は、駆動されず、ローラー１０は不動のままである。
【００７０】
メイン車６０は、さらに、メインフラップ駆動車６３を担持しており、このメインフラップ駆動車６３は、フラップピニオンと噛み合い、このフラップピニオンは、フラップ軸Ｄ２０を中心とするフラップ駆動ピニオンを制御するように構成しているか、あるいは実際にフラップ駆動ピニオン３５を形成している。
【００７１】
このメインフラップ駆動車６３は、メイン車のように、１日当たり１／７回転する。
【００７２】
フラップピニオンは、２つの面でフラップ２０Ｂ及び２０Ｅを担持しており、メインフラップ駆動車６３と３．５の比で噛み合っている。
【００７３】
したがって、ローラー駆動車６２が不動の場合、メイン車６０は１／７回転し、フラップピニオンは１／２回転し、当該フラップ２０は面を変える。
【００７４】
ローラー駆動車６２が解放され１／５回転し、メイン車６０が１／７回転すると、フラップピニオンは１／１０回転する。したがって、５日で始点に戻る。
【００７５】
図２２〜２６は、閏年ディスプレー４００を行う変種を概略的に示している。この閏年ディスプレー４００は、一又は複数の針を用いて達成することができる。具体的には、図の例におけるように１２０°ごとの３つ組の針４０１を用いることができる。これらの針４０１は、月ローラーアーバー４０２から延びており、１、２、３、Ｌ又はＢのような通常のマーキングを有する相補的な閏年ディスプレー４０３に対向している。ジャンパー４０５によって保持される星車４０４は、この３つ組の針４０１を駆動し、フラップ４０７と一体化されている偏心レバー４０６によって駆動される。図示した例において、３月／９月の月に、フラップ４０７と一体化されている偏心レバー４０６を介して、星車４０４が回転する。図２４及び２５に示すように、このフラップ４０７が歯付き区画４０８を介して回転するとき、歯付き区画４０８が星車４０４を１ノッチ押す。ローラーは、６か月で１回転し、７月には、レバーは星車を回転させない。
【００７６】
図２７は、ジャンパーなしでフラップ４０７を保持する別の変種を示している。このフラップ４０７は、部分的な歯列によって駆動され、実際のフラップ４０７に接している外周４２０によってガイドされる。具体的には、図２７に示すように、フラップ４０７は、その駆動ピニオン４０９の２つの歯４１０、４１１によって所定位置にガイドされる。この駆動ピニオン４０９は、機能を促進するために、凹部４１２にて１つ又は複数の歯が欠けていることができる。好ましいことに、ガイド周と交差する回転周の境界を定める２つの歯によって、部分的な外側又は内側のガイド周上の支持が実現される。この交差は、ローラーの回転をその軸のまわりに制限する。ガイド周は、回転を可能にする部分４２１で途切れている。この回転は、回転を可能にするために設けられた歯列区画４０８によって制御される。図におけるように、この歯列区画４０８は、ガイド周４２０の一部を形成することができる。
【００７７】
同様に、ジャンパーがないフラップの変種において、フラップは、実際のフラップに接する外周によって直接ガイドされることができる。このようにして、ガイド周は、フラップを通すことが可能になるように途切れている。そして、駆動ピニオンは、図７〜１１又は図１７及び１８の変種の構成を有することができる。
【００７８】
本発明の異なる変種によって、風防外の寸法、すなわち又は風防とケース裏側の寸法が、１０ｍｍのオーダーの総厚みを有するような、通常の寸法の腕時計の小さな体積内にあらゆる種類のインジケーションのためのローラーディスプレーをすることができる。フラップは、腕時計のいずれの部分にも接しておらず、その通常の動作時にいずれの衝撃又は摩擦の影響も受けない。
【符号の説明】
【００７９】
１０、１１、１２、１３、１４  ローラー
１５  ばね
１７  ジャンパー
２０  フラップ
２５  フラップカム
３１、２０３、１３０  制御車
３５  フラップ駆動ピニオン
４０  第２のカム
４２  第２の車
５０  メインカム
５２  凹部
５３  駆動手段
６０  メイン車
６１  入力列
６２  ローラー駆動車
６３  メインフラップ駆動車
６４  フラップピニオン
７１  星車
７２  歯
１００  ディスプレー機構
２０１  第１の面
２０２  第２の面
４００  閏年ディスプレー
４０１  針
４０２  アーバー
４０３  閏年ディスプレー
４０４  星車
４０５  ジャンパー
４０６  偏心レバー
４０７  フラップ
４０８  歯列区画
４０９  駆動ピニオン
４１２  凹部
４２０  外周
１０００  腕時計
３１３１  減速ギヤ
２０１、２０２  面
３１２、３１３  ローラー駆動ピニオン
４１０、４１１  歯
５Ｘ  ピン
Ｄ１０  ローラー軸
Ｄ２０  フラップ軸
【図１】
2018004634.tif 000003
【図２】
2018004634.tif 000004
【図３】
2018004634.tif 000005
【図４】
2018004634.tif 000006
【図５】
2018004634.tif 000007
【図６】
2018004634.tif 000008
【図７】
2018004634.tif 000009
【図８】
2018004634.tif 000010
【図９】
2018004634.tif 000011
【図１０】
2018004634.tif 000012
【図１１】
2018004634.tif 000013
【図１２】
2018004634.tif 000014
【図１３】
2018004634.tif 000015
【図１４】
2018004634.tif 000016
【図１５】
2018004634.tif 000017
【図１６】
2018004634.tif 000018
【図１７】
2018004634.tif 000019
【図１８】
2018004634.tif 000020
【図１９】
2018004634.tif 000021
【図２０】
2018004634.tif 000022
【図２１】
2018004634.tif 000023
【図２２】
2018004634.tif 000024
【図２３】
2018004634.tif 000025
【図２４】
2018004634.tif 000026
【図２５】
2018004634.tif 000027
【図２６】
2018004634.tif 000028
【図２７】
2018004634.tif 000029